(57)【要約】【課題】振分手段の作動内容が斬新であり、趣向性が高く、遊技者の遊技意欲を長期間に亘って高く保持することができる上、振分手段をコンパクトに設計することが可能で遊技盤面のレイアウトの自由度が高い遊技機を提供する。【解決手段】パチンコ機は、遊技盤２の盤面に垂直な軸を中心として回転することにより、遊技球を第一流路に案内する姿勢と遊技球を第二流路に案内する姿勢とに切り替わる流路切替部材４５と、流路切替部材４５の姿勢を保持するための姿勢保持部材４６と、第一流路の先端あるいは第二流路の先端への遊技球の流下に伴って流路切替部材４５の姿勢の解除を行う姿勢解除部材４７とを備えた振分装置４１が設置されている。そして、振分装置４１の流路切替部材４５は、遊技球の流下により回転して姿勢を切り替えることにより、流下した遊技球を第一流路あるいは第二流路に振り分けるようになっている。【選択図】図６
2019198535.tif 000002
【特許請求の範囲】
【請求項１】
流下した遊技球を遊技者にとっての利益が異なる２つの流路に振り分けるための振分手段を遊技盤面上に設けた遊技機であって、
前記振分手段が、
遊技盤面に垂直な軸を中心として回転することにより、遊技球を第一流路に案内する姿勢と遊技球を第二流路に案内する姿勢とに切り替わる流路切替手段と、
前記流路切替手段の姿勢を保持するための姿勢保持手段と、
前記第一流路の先端あるいは前記第二流路の先端への遊技球の流下に伴って前記流路切替手段の姿勢の解除を行う姿勢解除手段とを備えたものであり、
前記流路切替手段が、遊技球の流下により回転して姿勢を切り替えることにより、流下した遊技球を第一流路あるいは第二流路に振り分けることを特徴とする遊技機。
【請求項２】
前記姿勢解除手段の作動内容が前方から視認可能になっていることを特徴とする請求項１に記載の遊技機。
【請求項３】
前記第一流路の中間および／または前記第二流路の中間に、遊技球の流下速度を低減させるための減速手段を設けたことを特徴とする請求項１、または請求項２に記載の遊技機。
【発明の詳細な説明】
【技術分野】
【０００１】
本発明は、パチンコ機やスロットマシーン等の遊技機に関するものである。
【背景技術】
【０００２】
従来、遊技機の一種であるパチンコ機として、遊技球の流路を振り分けるための振分装置を遊技盤面に設けたものが知られている（特許文献１）。この特許文献１の振分装置は、モータによって一定のタイミングで回転する振分部材を備えており、遊技球が振分装置の進入口に進入すると、その遊技球が、回転している振分部材によって第１始動口または第２始動口の何れかに振り分けられるようになっている。ところが、上記特許文献１の如き振分装置を有するパチンコ機は、遊技球の流路を振り分ける振分部材の作動内容が単純であるため、趣向性が低く、短期間の内に遊技者の遊技意欲を減退させてしまう、という不具合がある。それゆえ、特許文献２の如く、所定の入球口に複数の遊技球が連続的に入賞した場合に限ってその遊技球を特定の流路に振り分ける振分装置を備えた遊技機も開発されている。
【先行技術文献】
【特許文献】
【０００３】
【特許文献１】特開２０１５−１２００６０号公報
【特許文献２】特開２０１７−０５１３６３号公報
【発明の概要】
【発明が解決しようとする課題】
【０００４】
しかしながら、上記特許文献２の如き振分装置を有するパチンコ機は、振分装置の作動内容が斬新で高い趣向性を有しているのの、振分装置をコンパクトに設計するのが困難であるため（特に、前後方向に小さくなるように設計するのが困難であるため）、遊技盤面のレイアウトの自由度が低い、という不具合がある。
【０００５】
本発明の目的は、振分手段の作動内容が斬新であり、趣向性が高く、遊技者の遊技意欲を長期間に亘って高く保持することができるのみならず、振分手段をコンパクトに設計することが可能で遊技盤面のレイアウトの自由度が高い遊技機を提供することにある。
【課題を解決するための手段】
【０００６】
かかる本発明のうち、請求項１に記載された発明は、流下した遊技球を遊技者にとっての利益が異なる２つの流路に振り分けるための振分手段を遊技盤面上に設けた遊技機であって、前記振分手段が、遊技盤面に垂直な軸を中心として回転することにより、遊技球を第一流路に案内する姿勢と遊技球を第二流路に案内する姿勢とに切り替わる流路切替手段と、前記流路切替手段の姿勢を保持するための姿勢保持手段と、前記第一流路の先端あるいは前記第二流路の先端への遊技球の流下に伴って前記流路切替手段の姿勢の解除を行う姿勢解除手段とを備えたものであり、前記流路切替手段が、遊技球の流下により回転して姿勢を切り替えることにより、流下した遊技球を第一流路あるいは第二流路に振り分けることを特徴とするものである。
【０００７】
請求項２に記載された発明は、請求項１に記載された発明において、前記姿勢解除手段の作動内容が前方から視認可能になっていることを特徴とするものである。
【０００８】
請求項３に記載された発明は、請求項１、または請求項２に記載された発明において、前記第一流路の中間および／または前記第二流路の中間に、遊技球の流下速度を低減させるための減速手段を設けたことを特徴とするものである。
【発明の効果】
【０００９】
請求項１に記載の遊技機は、振分手段の流路切替手段が遊技球を遊技者にとって有利な流路へ導く状態で保持され得るので、作動内容が斬新であり、趣向性が高く、遊技者の遊技意欲を長期間に亘って高く保持することができる上、振分手段の流路切替手段が遊技盤面内で回転して遊技球を振り分けるように構成されているため、振分手段をコンパクトに設計することができるので、遊技盤面のレイアウトの自由度が高い。
【００１０】
請求項２に記載の遊技機は、振分手段の流路切替手段の姿勢の保持・解除の作動内容を遊技者が瞬時に把握できるので、非常に趣向性が高く、遊技者の遊技意欲をきわめて長期間に亘って高く保持することができる。
【００１１】
請求項３に記載の遊技機は、振分手段の減速手段によって遊技球が流路切替手段から姿勢解除手段まで流下する時間が長く保たれるので、振分手段の流路切替手段が遊技球を遊技者にとって有利な流路へ導く状態で保持される時間が長いため、きわめて趣向性が高く、短期間の内に遊技者の遊技意欲を減退させてしまう事態を非常に効果的に防止することができる。
【図面の簡単な説明】
【００１２】
【図１】パチンコ機を示す説明図（正面図）である。
【図２】遊技盤を示す説明図（正面図）である。
【図３】パチンコ機を示す説明図（背面図）である。
【図４】振分装置を示す説明図（前方斜視図）である。
【図５】振分装置を示す説明図（後方斜視図）である。
【図６】振分装置（後側カバーを外した状態）を示す説明図（後方斜視図）である。
【図７】振分装置の流路切替部材、姿勢保持部材および姿勢解除部材（通常の状態）を示す説明図である（ａは前方斜視図であり、ｂは後方斜視図である）。
【図８】振分装置の流路切替部材、姿勢保持部材および姿勢解除部材（第二状態で保持された状態）を示す説明図である（ａは前方斜視図であり、ｂは後方斜視図である）。
【図９】振分装置の流路切替部材、姿勢保持部材および姿勢解除部材（左アーム部が作動した状態）を示す説明図である（ａは前方斜視図であり、ｂは後方斜視図である）。
【図１０】振分装置の流路切替部材、姿勢保持部材および姿勢解除部材（右アーム部が作動した状態）を示す説明図である（ａは前方斜視図であり、ｂは後方斜視図である）。
【発明を実施するための形態】
【００１３】
以下、本発明の遊技機の一実施形態であるパチンコ機について、図面に基づいて詳細に説明する。
【００１４】
＜パチンコ機の構造＞
図１は、パチンコ機１を前面側から示した説明図である。図２は、遊技盤２を前面側から示した説明図である。図３は、パチンコ機１を後面側から示した説明図である。パチンコ機１は、遊技盤２の前面に形成された遊技領域１６内へ遊技球を打ち込み、遊技領域１６内を流下させて遊技するものであって、遊技盤２は、支持体として機能する機枠３の前面上部に、金属製のフレーム部材であるミドル枠５を介して設置されている。また、遊技盤２の前方には、ガラス板を支持してなる前扉４が、機枠３に左端縁を軸として片開き可能に蝶着されており、その前扉４によって閉塞される遊技盤２の前方空間が遊技領域１６とされている。
【００１５】
当該遊技領域１６は、遊技盤２の前面に円弧状に配設された外レール２３および内レール２４等によって囲まれており、遊技領域１６の左部における両レール２３，２４の間が遊技球を遊技領域１６内へ打ち込むための発射通路１３とされている。また、遊技領域１６の中央やや上寄りとなる位置には、「０」〜「９」の数字からなる装飾図柄やキャラクター等を表示するための演出用表示部６、演出用表示部６の下辺に沿って左右方向に延設されており、その上面を遊技球が左右に転動可能な上ステージ３６、および、遊技領域１６内を流下する遊技球を上ステージ３６上へ導くためのワープ通路３７等を有する表示部材３８が設置されている。さらに、表示部材３８の下方で遊技領域１６の中央部から下部にかけて、遊技球が進入可能な進入口３１、進入口３１に進入した遊技球を左右の遊技球通路４２ａ，４２ｂへ振り分けて流下させる振分手段である振分装置４１、種々の電動役物、および、遊技球が入賞可能な役物装置（遊技球が入賞すると内部抽選の契機となる非電動役物４０、始動口２２、誘導路２７、遊技球が転動可能な下ステージ７７、遊技球が回転可能な時計皿状の底面を有するクルーン３０等を備えたセンター部材２６が設置されている。
【００１６】
また、表示部材３８およびセンター部材２６の左方には、遊技球が流下可能で、遊技球が入賞可能な入賞部材３９，３９が設置された左打ち用スペースＳＬが形成されており、この左打ち用スペースＳＬを流下させることで、ワープ通路３７への進入（すなわち、上ステージ３６上への誘導）や進入口３１への進入（すなわち、センター部材２６への進入）を効率良く狙えるようになっている。一方、表示部材３８およびセンター部材２６の右方にも遊技球が流下可能な右打ち用スペースＳＲが形成されている。この右打ち用スペースＳＲには、遊技球が通過可能なゲート部材２０、一対の可動片を有するチューリップ式電動役物１７、所謂「大当たり状態」において交互に開閉する２つの可動入賞装置１８Ａ，１８Ｂが設置されている。そして、遊技球を右打ち用スペースＳＲへ流下させることで、ゲート部材２０を通過させたり、開動作しているチューリップ式電動役物１７へ遊技球を入賞させたり、開成している可動入賞装置１８Ａ，１８Ｂへ遊技球を入賞させたりすることができるようになっている。なお、左打ち用スペースＳＬや右打ち用スペースＳＲには、多数の遊技釘が植設されている。また、遊技領域１６外となる遊技盤２の右下部には、第１特別図柄および第２特別図柄をそれぞれ別個に表示可能とした特別図柄表示部７８が設けられている。
【００１７】
また、機枠３の前面側であって上記遊技盤２の下方には、発射装置１０へ供給する遊技球を貯留するための供給皿７、および、供給皿７から溢れた遊技球を貯留するための貯留皿８が取り付けられており、供給皿７は前扉４の開放に伴い、貯留皿８はミドル枠５の開放に伴い、それぞれ機枠３に対して片開き可能となっている。さらに、貯留皿８の右側には、発射装置１０を作動させ、遊技球の遊技領域１６への打ち込み強度を調整するためのハンドル９が回動操作可能に設置されている。加えて、供給皿７の前方には、遊技者が任意に押し込み操作可能な遊技ボタン２５が設けられている。さらに、前扉４の上部には、効果音や各種メッセージ等を報音するそれぞれ一対のスピーカ１４，１４が設けられている。加えて、前扉４の左右両側部には、パチンコ機１の遊技状態等に応じて点灯・点滅する複数のＬＥＤを内蔵したランプ部材１５，１５・・が設けられている。
【００１８】
一方、機枠３の後面側には、供給皿７へ貸球や賞品球として払い出される遊技球を貯留するための貯留タンク１１、当該貯留タンク１１と連結された払出装置１２、払出装置１２における払い出し動作を制御する払出制御装置２８、および、各制御基板や装置・部材に電源電圧を供給するための電源装置２９等が設置されている。また、機枠３の後面側の中央上部には、合成樹脂製のカバー状に形成されたセンターカバー２１が装着されており、当該センターカバー２１の内部には、遊技に係る主たる制御（たとえば、所謂「大当たり抽選」等）を実行するためのメイン制御装置６１、演出用表示部６における表示動作等を制御する表示制御装置６３、ランプ部材１５の点灯／点滅動作等を制御する発光制御装置６４、スピーカ１４からの報音動作を制御する音制御装置６５、および、表示制御装置６３や音制御装置６５等の動作を統合的に制御するサブ制御装置６２等が設置されている。なお、メイン制御装置６１は、後述するセンサ３５、非電動役物４０の入賞検知センサ（図示せず）、始動口２２の入賞検知センサ（図示せず）等とインターフェイスを介して接続されている。
【００１９】
＜パチンコ機の特徴部分の説明＞
［振分装置の構造］
図４〜図６は、センター部材２６の上部に設置された振分装置４１を示したものであり、振分装置４１は、透明な合成樹脂によって中空状に形成された前側ケース部材４３、後側ケース部材４４、それらのケース部材４３，４４に内蔵された流路切替手段である流路切替部材４５、流路切替部材４５の姿勢を保持するための姿勢保持手段である姿勢保持部材４６、流路切替部材の姿勢を解除するための姿勢解除手段である姿勢解除部材４７、流路切替部材の姿勢を検知するためのセンサ３５等によって構成されている。
【００２０】
前側ケース部材４３は、基板４８の上部の中央に遊技球の進入可能な進入口４９が設けられており、その進入口４９の下側には、流路切替部材４５を収納するための扁平な円柱状の収納凸部５０が設けられている。さらに、その収納凸部５０の左右には、それぞれ、遊技球が通過可能な左筒状部５１、右筒状部５２が連設されており、それらの左筒状部５１および右筒状部５２の内部が、それぞれ、第一流路３３、第二流路３４となっている。また、左筒状部５１の先端側は、後方に折れ曲がった後に下方に折れ曲がり、第一排出口５３（図１参照）に繋がっている。一方、右筒状部５３の先端側は、後方に折れ曲がった後に下方に折れ曲がっており、第二排出口５４に繋がっている。加えて、第一流路３３および第二流路３４の中間（収納凸部５０の左右から左右に突出した部分）には、遊技球の勢いを減殺する（流下速度を低減する）ための減速手段である３本のリブ（突条）７５，７５・・が流れ方向に対して直交するように設けられている（図２参照）。
【００２１】
また、後側ケース部材４４は、中央（左右方向の中央）に、姿勢保持部材４６を収納するための収納凹部５５が設けられており、その収納凹部５５の上端際に、流路切替部材４５の姿勢を検知するための光学式のセンサ３５が設置されている。そして、上記した前側ケース部材４３と後側ケース部材４４とによって、流路切替部材４５、姿勢保持部材４６および姿勢解除部材４７が挟み込まれて固定された状態になっている。
【００２２】
図７〜図１０は、流路切替部材４５、姿勢保持部材４６および姿勢解除部材４７を示したものである。流路切替部材４５は、合成樹脂によって一体成形されたものであり、略円形の基板５６の前方に振分体５７が突設されている。そして、当該振分体５７には、遊技球を左方に流下させるための第一誘導路５８と、遊技球を右方に流下させるための第二誘導路５９とが、それぞれ、略凹状に設けられている。一方、基板５６の裏側には、振分体５７を第一誘導路５８が中央上側に位置するように付勢するための円柱状の錘体６０が後方へ突出するように設けられており、その錘体６０の左側（前方から見た場合の左側）には、略円柱状（棒状）の係合突起６８が後方へ突出するように設けられている。かかる流路切替部材４５は、基板５６の中心を前後に貫通するように設けられた中心軸６７を中心として、回動可能に前側ケース部材４３に固着されている。
【００２３】
また、姿勢保持部材４６は、合成樹脂によって一体成形されたものであり、水平方向に伸張した円柱状の基軸部７０の下側に、流路切替部材４５の係合突起６８と係合する係合片７１が連設されており、基軸部７０の上側に、略扇状の検知片７２が連設されている。また、係合片７１の基端には、水平方向に伸張した大径の円柱状の錘体７３が連設されている。一方、検知片７２の基端には、後述する姿勢解除部材４７の左アーム部８０ｂ、右アーム部８０ａの作動体８４ａ，８４ｂと係合する係合軸体７４が、左右に伸張するように連設されている。
【００２４】
一方、姿勢解除部材４７は、右アーム部８０ａと左アーム部８０ｂとによって構成されている。右アーム部８０ａは、平坦な当接面を有する回転作動体８１ａ、略棒状の下側昇降アーム８２ａ、略棒状の上側昇降アーム８３ａ、作動体８４ａ、下側ジョイント８５ａおよび上側ジョイント８６ａによって形成されている。一方、左アーム部８０ｂは、回転作動体８１ｂ、下側昇降アーム８２ｂ、上側昇降アーム８３ｂ、作動体８４ｂ、下側ジョイント８５ｂおよび上側ジョイント８６ｂによって形成されている。なお、左アーム部８０ｂと右アーム部８０ａとは、左右対象であることを除いて同一の構造である。そして、右アーム部８０ａは、下側ジョイント８５ａおよび上側ジョイント８６ａが前側ケース部材４３の基板４８に回転可能に枢着されており、先端の回転作動体８１ａが、鉛直に伸張した右筒状部５３の下端際の内部に入り込んだ状態になっている（図５、図６参照）。
【００２５】
回転作動体８１ａは、前後に伸張した円柱状の軸支部１０１ａと、同様に前後に伸張した円柱状の連結部１０２ａとが設けられている。そして、軸支部１０１ａが前側ケース部材４３に回動可能に枢着されており、連結部１０２ａが、下側昇降アーム８２ａの下端に回動可能に連結されている。
【００２６】
また、下側ジョイント８５ａは、前後に伸張した円柱状の軸支部１０３ａと、同様に前後に伸張した円柱状の連結部１０４ａとが設けられている。そして、軸支部１０３ａが前側ケース部材４３に回動可能に枢着されており、連結部１０４ａが、下側昇降アーム８２ａの上端および上側昇降アーム８３ａの下端に回動可能に連結されている。さらに、上側昇降アーム８３ａの上端際には、作動体８４ａを係合させるための鉛直断面コ字状の係合凹部１０５ａが設けられている。
【００２７】
一方、上側ジョイント８６ａは、下側ジョイント８５ａと同様に、前後に伸張した円柱状の軸支部１０６ａと、同様に前後に伸張した円柱状の連結部１０７ａとが設けられている。そして、軸支部１０６ａが前側ケース部材４３に回動可能に枢着されており、連結部１０７ａが、上側昇降アーム８２ａの上端に回動可能に連結されている。
【００２８】
また、作動体８４ａは、左右に伸張した円柱状の軸支部１０８ａと姿勢保持部材４６と係合する鉛直断面Ｕ字状の支承部１０９ａとが設けられており、軸支部１０８ａが、支承部１０９ａに対して偏心した軸を中心として回動可能に前側ケース部材４３に枢着されている。また、支承部１０９ａの外側には、上側昇降アーム８３ａの係合凹部１０５ａと係合する円柱状の係合軸体１１０ａが外向きに突出するように設けられている（なお、右アーム部８０ａは、左右対象であることを除いて左アーム部８０ｂと同一の構造であるので説明を省略する）。
【００２９】
［振分装置の作動内容］
上記の如く構成された振分装置４１は、遊技球が中央上部の進入口４９に入り込むと、その遊技球を、流路切替部材４５の振分体５７によって左筒状部５１あるいは右筒状部５２のいずれかに振り分けて流下させる。また、振分装置４１は、常時、図７の如く、流路切替部材４５が、錘体６０によって第一誘導路５８が中央上方に位置するように付勢されている（以下の説明においては、このように、第一誘導路５８が中央上方に位置した状態を「第一状態」という）。そのため、流路切替部材４５の基板４８の裏面においては、係合突起６８が略中央に位置した状態になっている。一方、姿勢保持部材４６は、錘体７３によって、係合片７１が基軸部７０を中心として前方へ回転するように付勢されている。そのため、遊技球が進入口４９に入り込むと、進入口４９に入り込んだ遊技球は、図７の如く、当該第一誘導路５８によって左筒状部５１に導かれて、左筒状部５１内の第一流路３３を流下して、第一排出口５３から排出される。
【００３０】
また、上記の如く、進入口４９に入り込んだ遊技球が、第一誘導路５８によって左筒状部５１に導かれると、流路切替部材４５は、遊技球の荷重によって、中心軸６７を中心として左回りに回転する。そして、そのように流路切替部材４５が左回りに回転すると、流路切替部材４５の裏側においては、図８の如く、回転に伴って係合突起６８が右側（前方から見て右側）に移動するため、姿勢保持部材４６の係合片７１が錘体７３の重力によって基軸部７０を中心として前方へ回転し、係合突起６８と係合した状態になる（すなわち、流路切替部材４５が右回り（前方から見て右回り）できないようにロックされる）。
【００３１】
上記の如く、流路切替部材４５の裏側において、姿勢保持部材４６の係合片７１と流路切替部材４５の係合突起６８とが係合すると、流路切替部材４５の第二誘導路５９が上向きに位置した状態となる（以下の説明においては、このように、第二誘導路５９が中央上方に位置した状態を「第二状態」という）。そして、その「第二状態」においては、進入口４９に入り込んだ遊技球は、第二誘導路５９によって右筒状部５２に導かれて、右筒状部５２内の第二流路３４を流下して、第二排出口５４から排出される。
【００３２】
また、上記の如く、進入口４９に入り込んだ遊技球が、振分体５７の第一誘導路５８によって左筒状部５１に導かれると、その遊技球が左筒状部５１内の第一流路３３を流下する際に、第一流路３３の先端際で、図９の如く、左筒状部５１の内部に入り込んでいる姿勢解除部材４７の左アーム部８０ｂの回転作動体８１ｂを、基軸部１０１ｂを中心に回転させる。そして、そのように回転作動体８１ｂが回転すると、下側昇降アーム８２ｂおよび上側昇降アーム８３ｂが上側に持ち上げられて、上側昇降アーム８３ｂの係合凹部１０５ｂの中に入り込んでいる作動体８４ｂの係合軸体１１０ｂが上向きに付勢される。さらに、そのように作動体８４ｂの係合軸体１１０ｂが上向きに付勢されると、作動体８４ｂは、軸支部１０８ｂを中心として係合軸体１１０ｂとともに支承部１０９ｂを上昇させるように回転する。
【００３３】
さらに、上記の如く作動体８４ｂの支承部１０９ｂが上昇すると、当該支承部１０９ｂの中に入り込んでいる姿勢保持部材４６の係合軸体７４が上向きに付勢される。そして、そのように係合軸体７４が上向きに付勢されると、姿勢保持部材４６が、錘体７３の荷重に抗して前回りに回転するため（すなわち、係合片７１が後方に移動するように回転するため）、流路切替部材４５の裏側においては、姿勢保持部材４６の係合片７１と係合突起６８との係合状態が解除される（すなわち、流路切替部材４５のロック状態が解除される）。
【００３４】
さらに、そのように姿勢保持部材４６の係合片７１と係合突起６８との係合状態が解除されると、流路切替部材４５が、錘体６０の荷重によって右回り（前方から見て右回り）に回転し、流路切替部材４５の係合突起６８が姿勢保持部材４６の係合片７１の前方へ位置した状態になる。そのため、流路切替部材４５は、振分体５７の第一誘導路５８が中央上方に位置した「第一状態」に復帰する。加えて、遊技球が左筒状部５１内の第一流路３３の先端際を流下した後には、左アーム部８０ｂは、下側昇降アーム８２ｂ、上側昇降アーム８３ｂ等の自重によって、回転作動部材８１ｂの当接面を傾斜状にした状態に復帰する。
【００３５】
振分装置４１は、上記の如く作動するため、単発で（１つずつ）進入口４９内へ進入した場合には、当該遊技球は、第一誘導路５８によって左筒状部５１内の第一流路３３に導かれて、第一排出口５３から排出される。一方、遊技球が進入口４９に入り込んで第一流路３３に導かれたことに伴って流路切替部材４５が「第二状態」（すなわち、第二誘導路５９を中央上方に位置させた状態）でロックされてから、遊技球が第一流路３３の先端際を通過することに伴って当該「第二状態」が解除されて「第一状態」（すなわち、第一誘導路５８を中央上方に位置させた状態）に戻るまでの間に、遊技球が連続的に進入口４９に進入したときのみ、その遊技球（すなわち、後から進入した遊技球）が第二誘導路５９によって右筒状部５２内の第二流路３４に導かれて、第二排出口５４から排出される。なお、遊技球が右筒状部５２に導かれた場合も、左筒状部５２に導かれた場合と同様に、姿勢解除部材４７の右アーム部８０ａの回転作動体８１ａの回転に伴って、姿勢保持部材４６による「第二状態」（すなわち、第二誘導路５９を中央上方に位置させた状態）の保持が解除される。
【００３６】
＜パチンコ機の遊技内容＞
以上のようなパチンコ機１では、遊技者はハンドル９を回動操作して発射装置１０を作動させ、発射通路１３を介して遊技球を遊技領域１６内へ打ち込み、まずは左打ち用スペースＳＬを流下させ（所謂、“左打ち”を行い）、センター部材２６の進入口３１への遊技球の進入（入賞）、あるいは、非電動役物４０（筒状の開口部１９）への遊技球の進入（入賞）を狙う。
【００３７】
そして、始動口２２あるいは非電動役物４０（筒状の開口部１９）への遊技球の入賞検知に起因して、内部抽選（所謂、「大当たり抽選」）が実行され、その「大当たり抽選」の結果が「大当たり」になると、特別図柄表示部７８および演出用表示部６にそれぞれ所定の「大当たり図柄」が確定表示される（たとえば、演出用表示部６に「７，７」が表示される）。また、「大当たり図柄」が確定表示されると、可動入賞装置１８Ａ，１８Ｂをそれぞれ１回ずつ開成させる遊技状態（所謂、「大当たり状態」）が生起する。そこで、遊技者は、遊技球を右打ち用スペースＳＲへ打ち込んで流下させ（所謂、“右打ち”を行い）、開成する可動入賞装置１８Ａ，１８Ｂへの遊技球の入賞を狙う。
【００３８】
また、「大当たり状態」が終了すると、ゲート部材２０への遊技球の通過検知に起因して実行される所謂「当たり抽選」の結果が「当たり」となりやすく、チューリップ式電動役物１７が頻繁に開状態となって遊技球の入賞が可能となるとともに、チューリップ式電動役物１７への入賞検知に起因して実行される「大当たり抽選」の結果が「大当たり」となりやすい所謂「確変状態」が生起する。そこで、遊技者は右打ちを継続し、ゲート部材２０への遊技球の通過、および、頻繁に開状態となるチューリップ式電動役物１７への遊技球の入賞を狙う。また、チューリップ式電動役物１７への遊技球の入賞に応じて実行された「大当たり抽選」の結果が「大当たり」になると、特別図柄表示部７８および演出用表示部６に「大当たり図柄」が確定表示され、可動入賞装置１８Ａ，１８Ｂをそれぞれ１回ずつ開成させる「大当たり状態」が再び生起する。したがって、「大当たり状態」が生起した場合には、遊技者は、きわめて高い確率で多くの遊技球を獲得することが可能となる。
【００３９】
そして、上記「大当たり状態」の終了後に生起する「確変状態」の生起回数が所定回数（たとえば１０回）に達し、所定回数目の「確変状態」における「大当たり図柄」の確定表示に伴い生起した「大当たり状態」が終了すると、「確変状態」を生起させることなく、ゲート部材２０への遊技球の通過検知に起因して実行される「当たり抽選」の結果が「当たり」となりにくく（あるいは「当たり」とならず）、チューリップ式電動役物１７がほとんど開状態とならない（あるいは開状態になることがない）上、「大当たり抽選」の結果が「大当たり」となりにくい遊技開始当初の「通常状態」へ復帰する。そのため、遊技者は、右打ちを止めて左打ちを行う上記遊技へと戻る。
【００４０】
また、上記の如く、遊技球がセンター部材２６の進入口３１へ入賞すると、当該遊技球は、振分装置４１の進入口４９に入り込む。そのため、単発で（１つずつ）進入口４９内へ進入した場合には、当該遊技球は、第一誘導路５８によって左筒状部５１内の第一流路３３に導かれて、第一排出口５３から排出される。そして、第一排出口５３から排出された遊技球は、下ステージ７７上を転動した後、一定の割合（概ね、１０個中１個）で、上記した「大当たり抽選」の契機となる非電動役物装置４０の開口部（始動口）１９に入賞する。
【００４１】
また、振分装置４１の進入口４９に連続的に入り込んだ場合（すなわち、最初の遊技球が進入口４９に入り込んで流路切替部材４５が「第二状態」でロックされてから当該「第二状態」が解除されて「第一状態」に復帰するまでの間に２個目の遊技球が入り込んだ場合）には、２個目（あるいは２個目以降）の遊技球が、第二誘導路５９によって右筒状部５２内の第二流路３４に導かれて、第二排出口５４から排出される。そして、第二排出口５４から排出された遊技球は、クルーン３０の上を転動した後に、きわめて高い確率で、一定の割合（概ね、１０個中８個）で、「大当たり抽選」の契機となる始動口２２に入賞する。したがって、振分装置４１によって遊技球が第二流路３４に振り分けられた場合には、第一流路３３に振り分けられた場合に比べて、遊技者にとって有利となる。
【００４２】
加えて、流路切替部材４５が「第二状態」で保持されると、検知片７２がセンサ３５の光線を遮断することによって、その事態を検知する。そして、所定の時間、流路切替部材４５が「第二状態」で保持されたことを検知していないにも拘わらず、遊技球が始動口２２に入賞したことを検知した場合には、メイン制御装置６１は、不正行為があったものと判断して、「大当たり抽選」を実行しないように制御するとともに、演出表示部６の液晶画面に、不正行為が行われた可能性がある旨を表示し、外部へ不正警報信号を出力する。また、メイン制御装置６１は、タイマ（図示せず）を利用して、「第二状態」が予め設定された所定の時間を超えた場合にも、異常（不正行為があったもの）と判断して、同様な不正報知処理（「大当たり抽選」を実行しないように制御、演出表示部６の液晶画面への表示、および外部への不正警報信号の出力）を実行する。
【００４３】
＜パチンコ機の効果＞
パチンコ機１は、上記の如く、振分装置（振分手段）４１が、遊技盤２の盤面に垂直な軸を中心として回転することにより、遊技球を第一流路３３に案内する姿勢と遊技球を第二流路３４に案内する姿勢とに切り替わる流路切替部材（流路切替手段）４５と、流路切替部材４５の姿勢を保持するための姿勢保持部材（姿勢保持手段）４６と、第一流路３３の先端あるいは第二流路３４の先端への遊技球の流下に伴って流路切替部材４５の姿勢の解除を行う姿勢解除部材（姿勢解除手段）４７とを備えたものであり、流路切替部材４５が、遊技球の流下により回転して姿勢を切り替えることにより、流下した遊技球を第一流路３３あるいは第二流路３４に振り分けるようになっている。そのため、パチンコ機１は、振分装置４１の流路切替部材４５が遊技球を遊技者にとって有利な第二流路３４へ導く状態で保持され得るので、作動内容が斬新であり、趣向性が高く、遊技者の遊技意欲を長期間に亘って高く保持することができる。その上、パチンコ機１は、振分装置４１の流路切替部材４５が遊技盤２の盤面内で回転して遊技球を振り分けるように構成されているため、振分装置４１をコンパクトに設計することができるので、遊技盤２の盤面のレイアウトの自由度が高い。
【００４４】
また、パチンコ機１は、振分装置４１分のケース（前側ケース部材４３および後側ケース部材４４）が透明な合成樹脂によって形成されており、姿勢解除部材４７（右アーム部８０ａおよび左アーム部８０ｂ）の作動内容を前方から視認可能であるため、流路切替部材４５の姿勢の保持・解除の作動内容を遊技者が瞬時に把握できるので、非常に趣向性が高く、遊技者の遊技意欲をきわめて長期間に亘って高く保持することができる。
【００４５】
さらに、パチンコ機１は、第一流路３３の中間に、遊技球の流下速度を低減させるための減速手段であるリブ７５，７５・・が設けられており、それらのリブ７５，７５・・によって遊技球が流路切替部材４５から姿勢解除部材４７まで流下する時間が長く保たれるので、振分装置４１の流路切替部材４５が遊技球を遊技者にとって有利な第二流路３４へ導く状態で保持される可能性が高いので、きわめて趣向性が高く、短期間の内に遊技者の遊技意欲を減退させてしまう事態を非常に効果的に防止することができる。
【００４６】
＜遊技機の変更例＞
なお、本発明に係る遊技機の構成は、上記実施形態の構成に何ら限定されるものではなく、振分手段（流路切替手段、姿勢保持手段、姿勢解除手段）、非電動役物、始動口等の形状、構造等の構成や、「大当たり状態」の生起時の作動内容等の遊技内容等を、本発明の趣旨を逸脱しない範囲で必要に応じて適宜変更することができる。
【００４７】
たとえば、本発明に係る遊技機は、上記実施形態の如く、メイン制御装置が異常制御手段として機能するものに限定されず、サブ制御装置等のメイン制御装置以外の制御装置が異常制御手段として機能するものや、メイン制御装置以外の制御装置とメイン制御装置とが協働して異常制御手段として機能するもの等に変更することも可能である。また、本発明に係る遊技機は、上記実施形態の如く、異常を検知した場合に以降の役物装置への遊技球の入賞を無効にして内部抽選を実行しないように制御するものに限定されず、異常を検知した場合に単にその事態を報知するもの（たとえば、演出表示部において異常事態の発生を表示するものや異常事態発生の検知信号をホールコンピュータ等に送信するもの）等に変更することも可能である。加えて、本発明に係る遊技機は、減速手段として遊技球の流路にリブを形成したものに限定されず、減速手段としてゴムシートを敷設したもの等に変更することも可能である。
【００４８】
なお、特許請求の範囲、明細書および図面に記載される全ての要素（たとえば、非電動役物（作動部材、制御部材、センサ）、始動口、誘導路等）は、個数を意識的に限定する明確な記載がない限り、物理的に単一であっても複数であっても構わないし、適宜配置の変更が行われても構わない。また、特許請求の範囲や明細書等で使用している要素名（要素につけた名称）は、単に本件の記載のために便宜上付与したにすぎないものであり、それによって特別な意味が生じることを特に意識したものではない。すなわち、要素名のみによって要素が何であるかが限定解釈されるものではない。さらには、上述した全ての要素のうちの複数の要素を一体的に構成するか、もしくは一つの要素を複数の要素に分けて構成するかは、あえて特許請求の範囲等において特定していない限り、いずれも当業者であればきわめて容易に考えられる事項であるため、あえて明細書等において全パターンを記載しなくてもいずれのパターンも想定範囲内であることが明らかであることから、本発明に係る権利範囲に含まれることに疑いの余地はない。したがって、その程度の範囲内での構成上の差異しかない遊技機を、本実施例に記載がなされていないことを理由にするのみでは、本発明に係る権利を回避したことにはならない。その他、各要素の構成や形状等における、本実施例から当業者であれば容易に考えられる自明な範囲の差異についても同様である。
【符号の説明】
【００４９】
１・・パチンコ機（遊技機）
２・・遊技盤
３３・・第一流路
３４・・第二流路
４１・・振分装置（振分手段）
４３・・前側ケース部材
４４・・後側ケース部材
４５・・流路切替部材（流路切替手段）
４６・・姿勢保持部材（姿勢保持手段）
４７・・姿勢解除部材（姿勢解除手段）
７５・・リブ（減速手段）
【図１】
2019198535.tif 000003
【図２】
2019198535.tif 000004
【図３】
2019198535.tif 000005
【図４】
2019198535.tif 000006
【図５】
2019198535.tif 000007
【図６】
2019198535.tif 000008
【図７】
2019198535.tif 000009
【図８】
2019198535.tif 000010
【図９】
2019198535.tif 000011
【図１０】
2019198535.tif 000012